(57)【要約】【課題】  調整リングにおける設定された調整範囲のクリック回数を増やすことにより、細かなクリック操作感を得るとともに、迅速な調整を可能にする。【解決手段】  レンズ鏡筒２の固定部３と、この固定部３に回動可能に設け、かつ回動操作によりレンズＬの光学特性を調整する調整リング４間に、主クリック機構部Ｍｍを備えるレンズのクリック装置１を構成するに際して、固定部３又は調整リング４の、一方における所定範囲Ｚｍ以外の範囲Ｚｅに、複数の副クリック溝部５ｓ…を所定間隔Ｋｉ…おきに順次形成し、かつ他方に、当該副クリック溝部５ｓ…にクリック係合する弾性変位部を有する副クリック係合部６ｓ…を設けてなる、一又は二以上の副クリック機構部Ｍｓ…を、主クリック機構部Ｍｍ及び当該副クリック機構部Ｍｓ…における異なる各クリック機構部Ｍｍ，Ｍｓ…が順番にクリック係合し、かつ各クリック係合が干渉しないことを条件に備えてなる。【選択図】  図１
2020181021.tif 000002
【特許請求の範囲】
【請求項１】
レンズ鏡筒の固定部，又はこの固定部に回動可能に設け、かつ回動操作によりレンズの光学特性を調整する調整リングの、一方に、回動方向における所定範囲に複数のクリック溝部を所定間隔おきに順次形成し、他方に、当該クリック溝部にクリック係合する弾性変位部を有するクリック係合部を設けてなるクリック機構部（主クリック機構部）を備えるレンズのクリック装置であって、前記固定部又は前記調整リングの、一方における前記所定範囲以外の範囲に、複数の副クリック溝部を所定間隔おきに順次形成し、かつ他方に、当該副クリック溝部にクリック係合する弾性変位部を有する副クリック係合部を設けてなる、一又は二以上の副クリック機構部を、前記主クリック機構部及び当該副クリック機構部における異なる各クリック機構部が順番にクリック係合し、かつ各クリック係合が干渉しないことを条件に備えてなることを特徴とするレンズのクリック装置。
【請求項２】
前記調整リングには、絞り調整リングを適用することを特徴とする請求項１記載のレンズのクリック装置。
【請求項３】
前記主クリック機構部におけるクリック係合部は、スプリングにより弾性変位可能に支持されたクリックボールを備えて構成するとともに、前記副クリック係合部は、スプリングにより弾性変位可能に支持されたクリックボールを備えて構成することを特徴とする請求項１又は２記載のレンズのクリック装置。
【請求項４】
前記レンズ鏡筒にモード切換リングを回動可能に設け、このモード切換リングと前記調整リング間に、前記主クリック機構部及び前記副クリック機構部を配設することにより、前記モード切換リングを第一位置へ変位させて前記主クリック機構部及び前記副クリック機構部を有効にし、かつ前記モード切換リングを第二位置へ変位させて前記主クリック機構部及び前記副クリック機構部を無効にするモード切換機構部を備えることを特徴とする請求項１，２又は３記載のレンズのクリック装置。
【発明の詳細な説明】
【技術分野】
【０００１】
本発明は、レンズ鏡筒の固定部に対して回動操作可能に設けることにより光学特性を調整可能な調整リングに付設するレンズのクリック装置に関する。
【背景技術】
【０００２】
従来、レンズ鏡筒の固定部，又はこの固定部に回動可能に設け、かつ回動操作によりレンズの光学特性を調整する調整リングの、一方に、回動方向に沿った所定範囲に複数のクリック溝部を所定間隔おきに順次形成し、かつ他方に、当該クリック溝部にクリック係合する弾性変位部を有するクリック係合部を設けてなるクリック機構部を備えるレンズのクリック装置としては、特許文献１に開示されるレンズの絞り装置に付設したクリック装置が知られている。
【０００３】
同文献１に開示されるレンズの絞り装置は、ビデオカメラ機能における撮影品質（集音品質）を高めるなど、必要に応じてクリック機構部の悪影響を排除するとともに、クリックモード又は非クリックモードにおいて絞りリングの操作力が異なることによる操作ミス等の不具合を回避することを目的としたものであり、具体的には、固定部又は絞りリングの、一方に、弾性支持された係合体を有する係合部を配設するとともに、他方に、係合体が圧接し、かつ絞りリングを回動させた際に、絞り値に対応した位置で係合体が係合可能な複数の被係合部を形成した被係合面を有する被係合基体部とを設けてなるクリック機構部（クリック装置）と、係合部又は被係合基体部の少なくとも一方の位置を変更することにより、係合体と被係合面が圧接するクリックモード，又は係合体と被係合面が離間してクリック機能が解除される非クリックモードに切換可能なモード切換機構部とを設けて構成したものである。
【先行技術文献】
【特許文献】
【０００４】
【特許文献１】特許第５１６６５９７号公報
【発明の概要】
【発明が解決しようとする課題】
【０００５】
しかし、上述した特許文献１に開示されるクリック装置は、次のような解決すべき課題も存在した。
【０００６】
第一に、この種のクリック装置は、基本構成として、レンズ鏡筒の固定部，又はこの固定部に回動可能に設け、かつ回動操作によりレンズの光学特性を調整する調整リングの、一方に、回動方向に沿った所定範囲に複数のクリック溝部を所定間隔おきに順次形成するため、クリック溝部の間隔は、クリック溝部の形成幅よりも大きくすることができない。したがって、例えば、絞り調整リングの場合、通常、調整範囲（調整角度）は１２０〔゜〕前後に設定されるが、この調整範囲におけるクリック回数は限定される。この結果、調整度合は粗くならざるを得ないなど、細かな調整を希望するユーザーの要請に応えることが困難となる。
【０００７】
第二に、細かな調整を行うには、調整範囲（調整角度）を広く設定すれば可能となるが、反面、操作範囲が長くなる。加えて、特許文献１のように、モード切換機構部を設ける場合、モード切換リングの切換時の操作角度（１８０〔゜〕程度）も大きくならざるを得ない。結局、調整操作及び切換操作を行う際の操作性及び迅速性を確保する観点からは不利となり、例えば、動きのある被写体に対するシャッタチャンスを逃してしまう虞れがあるとともに、良好な撮影を行うことができない不具合を招く。
【０００８】
本発明は、このような背景技術に存在する課題を解決したレンズのクリック装置の提供を目的とするものである。
【課題を解決するための手段】
【０００９】
本発明は、上述した課題を解決するため、レンズ鏡筒２の固定部３，又はこの固定部３に回動可能に設け、かつ回動操作によりレンズＬの光学特性を調整する調整リング４の、一方に、回動方向Ｆｆにおける所定範囲Ｚｍに複数のクリック溝部５…を所定間隔Ｋｉ…おきに順次形成し、他方に、当該クリック溝部５…にクリック係合する弾性変位部を有するクリック係合部６を設けてなるクリック機構部（主クリック機構部）Ｍｍを備えるレンズのクリック装置１を構成するに際して、固定部３又は調整リング４の、一方における所定範囲Ｚｍ以外の範囲Ｚｅに、複数の副クリック溝部５ｓ…を所定間隔Ｋｉ…おきに順次形成し、かつ他方に、当該副クリック溝部５ｓ…にクリック係合する弾性変位部を有する副クリック係合部６ｓ…を設けてなる、一又は二以上の副クリック機構部Ｍｓ…を、主クリック機構部Ｍｍ及び当該副クリック機構部Ｍｓ…における異なる各クリック機構部Ｍｍ，Ｍｓ…が順番にクリック係合し、かつ各クリック係合が干渉しないことを条件に備えてなることを特徴とする。
【００１０】
この場合、発明の好適な態様により、調整リング４には、絞り調整リング４ｃを適用することができる。また、主クリック機構部Ｍｍのクリック係合部６は、スプリング１１により弾性変位可能に支持されたクリックボール１２を備えて構成できるとともに、副クリック係合部６ｓ…は、スプリング１１ｓにより弾性変位可能に支持されたクリックボール１２ｓを備えて構成できる。他方、クリック装置１には、レンズ鏡筒２にモード切換リング７を回動可能に設け、このモード切換リング７と調整リング４間に、主クリック機構部Ｍｍ及び副クリック機構部Ｍｓ…を配設することにより、モード切換リング７を第一位置Ｘ１へ変位させて主クリック機構部Ｍｍ及び副クリック機構部Ｍｓ…を有効にし、かつモード切換リング７を第二位置Ｘ２へ変位させて主クリック機構部Ｍｍ及び副クリック機構部Ｍｓ…を無効にするモード切換機構部８を設けることができる。
【発明の効果】
【００１１】
このような構成を有する本発明に係るレンズのクリック装置１によれば、次のような顕著な効果を奏する。
【００１２】
（１）  固定部３又は調整リング４の、一方における所定範囲Ｚｍ以外の範囲Ｚｅに、複数の副クリック溝部５ｓ…を所定間隔Ｋｉ…おきに順次形成し、他方に、当該副クリック溝部５ｓ…にクリック係合する弾性変位部を有する副クリック係合部６ｓ…を設けてなる、一又は二以上の副クリック機構部Ｍｓ…を、主クリック機構部Ｍｍ及び当該副クリック機構部Ｍｓ…における異なる各クリック機構部Ｍｍ，Ｍｓ…が順番にクリック係合し、かつ各クリック係合が干渉しないことを条件に備えてなるため、調整リング４の調整範囲が設定されている場合であっても、当該調整範囲におけるクリック回数を大幅に増やすことができる。この結果、細かなクリック操作感を得ることができ、特に、細かい調整を希望するユーザーの要請に応えることができるとともに、他方、クリック回数が設定されている場合、調整範囲を狭くすることが可能になり、迅速な調整を行うことができる。
【００１３】
（２）  好適な態様により、調整リング４に、絞り調整リング４ｃを適用すれば、絞り調整リング４ｃを回動操作する際のクリック装置１として機能させることができるため、絞り調整時における細かなクリック操作感や迅速な調整に寄与できる。
【００１４】
（３）  好適な態様により、主クリック機構部Ｍｍのクリック係合部６を、スプリング１１により弾性変位可能に支持されたクリックボール１２を備えて構成するとともに、副クリック係合部６ｓ…を、スプリング１１ｓにより弾性変位可能に支持されたクリックボール１２ｓを備えて構成すれば、円滑なクリック操作感を得れるため、異なる主クリック機構部Ｍｍと副クリック機構部Ｍｓ…が組合わされた場合であっても、一体性及び連続性を確保できるとともに、違和感の無い良質なクリック装置１を得ることができる。
【００１５】
（４）  好適な態様により、レンズ鏡筒２にモード切換リング７を回動可能に設け、このモード切換リング７と調整リング４間に、主クリック機構部Ｍｍ及び副クリック機構部Ｍｓ…を配設することにより、モード切換リング７を第一位置Ｘ１へ変位させて主クリック機構部Ｍｍ及び副クリック機構部Ｍｓ…を有効にし、かつモード切換リング７を第二位置Ｘ２へ変位させて主クリック機構部Ｍｍ及び副クリック機構部Ｍｓ…を無効にするモード切換機構部８を設ければ、モード切換リング７の切換時の操作角度（操作範囲）をより小さくできるため、モード切換操作における操作性及び迅速性をより高めることができる。しかも、調整リング４の調整範囲を狭くできることと併せ、調整操作及び切換操作を含む全体の操作性及び迅速性を高めることが可能になるため、例えば、動きのある被写体に対するシャッタチャンスもより捕らえ易くなるとともに、より良好な撮影を行うことができる。
【図面の簡単な説明】
【００１６】
【図１】本発明の好適実施形態に係るクリック装置を含むレンズの一部を示す半截断面側面図、
【図２】同クリック装置における固定部に形成したクリック溝部の背面図、
【図３】同クリック装置の背面方向から見た状態の原理説明図、
【図４】同クリック装置の一部抽出拡大断面側面図、
【図５】同クリック装置の平面方向から見た状態の原理説明図、
【図６】本発明の変更実施形態に係るクリック装置の固定部を説明するクリック溝部の背面図、
【図７】同クリック装置の一部抽出拡大断面側面図、
【図８】同クリック装置の機能を説明するための一部抽出拡大断面平面図、
【発明を実施するための形態】
【００１７】
次に、本発明に係る好適実施形態を挙げ、図面に基づき詳細に説明する。
【００１８】
まず、本実施形態に係るクリック装置１を付設する絞り調整機構Ｓｍを含むレンズＬの概略構成について、図１を参照して説明する。
【００１９】
図１のレンズＬは、例えば、一眼レフカメラ等のデジタルカメラに用いることができる交換レンズを示す。このレンズＬは、固定筒部２ｃを含むレンズ鏡筒２を備える。固定筒部２ｃは、前端に取付けたフィルタ枠２１を備えるとともに、固定筒部２ｃの内面に配したレンズ支持枠２２を備える。フィルタ枠２１の先端にはフィルタを着脱できるとともに、レンズ支持枠２２の内周面には複数のレンズ体Ｌａ，Ｌｂ，Ｌｃ…が支持される。また、この種の交換レンズは、通常、マニュアル又はオートのフォーカシング調整機構及びズーミング調整機構を備えるが本実施形態では図示を省略した。
【００２０】
一方、固定筒部２ｃの外周面には、調整リング４を構成する絞り調整リング４ｃを回動操作可能に取付ける。絞り調整リング４ｃは固定筒部２ｃに対して前後方向（光軸方向Ｆｃ）の変位が規制され、周方向、即ち、回動方向（図２参照）Ｆｆにのみ回動操作することができる。この絞り調整リング４ｃの回動変位は、所定のリンク機構部２３を介して絞り機構部２４に伝達される。これにより、絞り調整リング４ｃを回動操作すれば、絞り（絞り値）の大きさを任意に調整することができる絞り調整機構Ｓｍが構成される。
【００２１】
このように、調整リング４に、絞り調整リング４ｃを適用すれば、絞り調整リング４ｃを回動操作する際のクリック装置１として機能させることができるため、絞り調整時における細かなクリック操作感や迅速な調整に寄与できる利点がある。
【００２２】
次に、このような絞り調整機構Ｓｍに付設される本実施形態に係るクリック装置１の構成について、図１〜図５を参照して具体的に説明する。
【００２３】
まず、固定筒部２ｃは、図１に示すように、レンズＬの光軸方向Ｆｃに対して直角となる段差部２ｍを有し、この段差部２ｍは、絞り調整リング４ｃとの関係において、固定部３を構成し、この固定部３の背面はリング状の垂直面３ｓとして形成される。そして、この垂直面３ｓには、絞り調整リング４ｃの前端面４ｃｆが平行に対面する。
【００２４】
図２は、この固定部３の垂直面３ｓを背面方向から見た形状を示す。図２に示すように、垂直面３ｓにおける図面上側には、回動方向Ｆｆにおける所定範囲（所定角度範囲）Ｚｍにわたり、複数のクリック溝部５…を所定間隔Ｋｉ…おきに順次形成する。一例として示す図２の場合、所定角度範囲Ｚｍは、概ね５０〔゜〕程度であり、クリック溝部５の断面形状は、図５に示すように、Ｖ溝状に形成した。また、所定間隔（所定角度間隔）Ｋｉ…は、例示の場合、４〔゜〕に選定した。このため、クリック溝部５…の全体数は「十三」である。
【００２５】
一方、この垂直面３ｓ（クリック溝部５…）に対面する絞り調整リング４ｃの前端面４ｃｆには、クリック溝部５…にクリック係合する弾性変位部を有するクリック係合部６を設ける。このクリック係合部６は、図４に示すように、絞り調整リング４ｃの前端面４ｃｆに形成した断面円形の収容穴部２５に、コイルスプリング１１を収容した後、クリックボール１２を収容して構成する。これにより、クリックボール１２は、圧縮したコイルスプリング１１により弾性変位可能に支持され、前方に付勢されて垂直面３ｓに圧接する主クリック機構部Ｍｍが構成される。
【００２６】
他方、図２に示すように、垂直面３ｓにおける図面下側には、複数の副クリック溝部５ｓ…を所定間隔Ｋｉ…おきに順次形成する。この場合、複数の副クリック溝部５ｓ…は、回動方向Ｆｆにおける所定範囲Ｚｍ以外の範囲Ｚｅに形成される。例示の場合、所定範囲（所定角度範囲）Ｚｍは、概ね５０〔゜〕程度であるため、この所定範囲Ｚｍ以外の範囲Ｚｅは、概ね３１０〔゜〕程度となる。例示の場合、複数の副クリック溝部５ｓ…は、複数のクリック溝部５…に対して、１８０〔゜〕対向する位置、即ち、範囲Ｚｅの中央位置に、概ね５０〔゜〕程度の範囲Ｚｅｍで形成した。
【００２７】
この副クリック溝部５ｓは、図５に示すように、クリック溝部５と同様に、断面形状を、Ｖ溝状に形成するとともに、所定間隔（所定角度間隔）Ｋｉ…は、４〔゜〕に選定した。これにより、副クリック溝部５ｓ…の全体数は「十三」となり、基本的な構成は、前述したクリック溝部５…と同じである。また、この垂直面３ｓ（副クリック溝部５ｓ…）に対面する絞り調整リング４ｃの前端面４ｃｆには、副クリック溝部５ｓ…にクリック係合する弾性変位部を有する副クリック係合部６ｓを設ける。この副クリック係合部６ｓは、前述したクリック係合部６と同様、図１に示すように、絞り調整リング４ｃの前端面４ｃｆに形成した断面円形の収容穴部２５ｓに、コイルスプリング１１ｓを収容した後、クリックボール１２ｓを収容して構成する。これにより、クリックボール１２ｓは、圧縮したコイルスプリング１１ｓにより弾性変位可能に支持され、前方に付勢されて垂直面３ｓに圧接する副クリック機構部Ｍｓが構成される。
【００２８】
このように、主クリック機構部Ｍｍにおけるクリック係合部６を、スプリング１１により弾性変位可能に支持されたクリックボール１２を備えて構成するとともに、副クリック係合部６ｓ…を、スプリング１１ｓにより弾性変位可能に支持されたクリックボール１２ｓを備えて構成すれば、円滑なクリック操作感を得ることができるため、異なる主クリック機構部Ｍｍと副クリック機構部Ｍｓ…が組合わされた場合であっても、一体性及び連続性を確保できるとともに、違和感の無い良質なクリック装置１を得ることができる。
【００２９】
また、この際、図３及び図５に示すように、副クリック機構部Ｍｓを設けるに際しては、主クリック機構部Ｍｍ及び副クリック機構部Ｍｓにおける異なる各クリック機構部Ｍｍ，Ｍｓが順番にクリック係合し、かつ各クリック係合が干渉しないことを条件に設ける。例示の場合、主クリック機構部Ｍｍにおけるクリックボール１２（又は副クリック機構部Ｍｓにおけるクリックボール１２ｓ）が、クリック溝部５（又は副クリック溝部５ｓ）にクリック係合する位置において、副クリック機構部Ｍｓにおけるクリックボール１２ｓ（又は主クリック機構部Ｍｍにおけるクリックボール１２）が、相隣る副クリック溝部５ｓと５ｓ間（又は相隣るクリック溝部５と５間）の中央位置に当接する位置関係となるように設けた。
【００３０】
次に、本実施形態に係るクリック装置１を含む絞り調整機構Ｓｍの機能及び使用方法について、図１〜図５を参照して説明する。
【００３１】
まず、絞り調整機構Ｓｍに備える絞り調整リング４ｃは、回動操作することにより、位置が固定された固定部３に対して、回動方向（周方向）Ｆｆへ変位させることができる。これにより、この回動変位は、リンク機構部２３を介して絞り機構部２４に伝達され、絞り機構部２４の開口面積を変化させることができる。即ち、絞り（絞り値）の大きさを任意に調整することができる。
【００３２】
この際、クリック装置１が機能し、絞り調整リング４ｃの回動操作時には、主クリック機構部Ｍｍ及び副クリック機構部Ｍｓに基づくクリック操作感を得ることができる。この場合、主クリック機構部Ｍｍと副クリック機構部Ｍｓにおける各クリック係合は交互に行われる。即ち、図３中、今、主クリック機構部Ｍｍのクリックボール１２が、位置Ｃ１におけるクリック溝部５にクリック係合しているものとする。この状態では、副クリック機構部Ｍｓのクリックボール１２ｓは、位置Ｃ１２における副クリック溝部５ｓと５ｓ間の中央位置に当接する。この状態の位置関係を図５に示す。
【００３３】
そして、絞り調整リング４ｃを、矢印Ｆｆｆ方向へ回動操作すれば、副クリック機構部Ｍｓのクリックボール１２ｓは、位置Ｃ２における副クリック溝部５ｓへ変位してクリック係合するとともに、主クリック機構部Ｍｍのクリックボール１２は、位置Ｃ１３におけるクリック溝部５と５間の中央位置へ変位する。次いで、絞り調整リング４ｃを、矢印Ｆｆｆ方向へ回動操作すれば、主クリック機構部Ｍｍのクリックボール１２が、位置Ｃ３におけるクリック溝部５へ変位してクリック係合するとともに、副クリック機構部Ｍｓのクリックボール１２ｓは、位置Ｃ２４における副クリック溝部５ｓと５ｓ間の中央位置へ変位する。次いで、絞り調整リング４ｃを、矢印Ｆｆｆ方向へ回動操作すれば、副クリック機構部Ｍｓのクリックボール１２ｓが、位置Ｃ４における副クリック溝部５ｓへ変位してクリック係合するとともに、主クリック機構部Ｍｍのクリックボール１２は、位置Ｃ３５におけるクリック溝部５と５間の中央位置へ変位する。以降は同様に、主クリック機構部Ｍｍと副クリック機構部Ｍｓにおける各クリック係合が交互に行われる
【００３４】
このように、主クリック機構部Ｍｍのクリックボール１２が、任意のクリック溝部５から次のクリック溝部５へ変位する中央位置で、副クリック機構部Ｍｓのクリックボール１２ｓが副クリック溝部５ｓに係合することになり、主クリック機構部Ｍｍのみを用いる場合に比べて、クリック係合の間隔は１／２になるとともに、全体のクリック係合の数は２倍になる。
【００３５】
よって、このような本実施形態に係るクリック装置１によれば、レンズ鏡筒２の固定部３における回動方向Ｆｆの所定範囲Ｚｍに複数のクリック溝部５…を所定間隔Ｋｉ…おきに順次形成するとともに、この固定部３に回動可能に設け、かつ回動操作によりレンズＬの光学特性を調整する調整リング４に、当該クリック溝部５…にクリック係合する弾性変位部を有するクリック係合部６を設けてなる主クリック機構部Ｍｍを備え、特に、固定部３における所定範囲Ｚｍ以外の範囲Ｚｅに、複数の副クリック溝部５ｓ…を所定間隔Ｋｉ…おきに順次形成し、かつ当該副クリック溝部５ｓ…にクリック係合する弾性変位部を有する副クリック係合部６ｓ…を設けてなる、一又は二以上の副クリック機構部Ｍｓ…を、主クリック機構部Ｍｍ及び当該副クリック機構部Ｍｓ…における異なる各クリック機構部Ｍｍ，Ｍｓ…が順番にクリック係合し、かつ各クリック係合が干渉しないことを条件に備えてなるため、調整リング４の調整範囲が設定されている場合であっても、当該調整範囲におけるクリック回数を大幅に増やすことができる。この結果、細かなクリック操作感を得ることができ、特に、細かい調整を希望するユーザーの要請に応えることができるとともに、他方、クリック回数が設定されている場合、調整範囲を狭くすることが可能になり、迅速な調整を行うことができる。
【００３６】
次に、本発明の変更実施形態に係るクリック装置１について、図６〜図８を参照して説明する。
【００３７】
変更実施形態に係るクリック装置１は、図６及び図７に示すように、レンズ鏡筒２にモード切換リング７を回動可能に設け、このモード切換リング７と絞り調整リング４ｃ間に、主クリック機構部Ｍｍ及び副クリック機構部Ｍｓを配設することにより、モード切換リング７を第一位置Ｘ１へ変位させて主クリック機構部Ｍｍ及び副クリック機構部Ｍｓを有効にし、かつモード切換リング７を第二位置Ｘ２へ変位させて主クリック機構部Ｍｍ及び副クリック機構部Ｍｓを無効にするモード切換機構部８を設けたものである。
【００３８】
即ち、図７に示すように、固定筒部２ｃにおける段差面２ｃｒの後方に、モード切換リング７を回動可能に設けるとともに、このモード切換リング７の後方に絞り調整リング４ｃを配して構成した。これにより、モード切換リング７の後面７ｒに、絞り調整リング４ｃの前端面４ｃｆが対面するため、このモード切換リング７の後面７ｒが、図４に示した固定部３における垂直面３ｓとして機能する。
【００３９】
したがって、モード切換リング７の後面７ｒに、図２及び図４に示した垂直面３ｓと同様のクリック溝部５…及び副クリック溝部５ｓ…を形成した。なお、絞り調整リング４ｃの構成は、前述した図１〜図５に示した実施形態と同じになる。また、モード切換リング７は、図７に示すように、軸方向（光軸方向）Ｆｃに所定の幅を有するリング状に形成するとともに、前端から前方へ延出して外径を大径に形成したハンドル部７ｈを一体に備えている。
【００４０】
そして、モード切換リング７の前面７ｆには、図６及び図７に示す二つの切換クリック溝部３１，３２を設ける。この場合、一方の切換クリック溝部３１は第一位置Ｘ１に形成するとともに、他方の切換クリック溝部３２は第二位置Ｘ２に形成し、この第一位置Ｘ１と第二位置Ｘ２の角度関係は９０〔゜〕となる。各切換クリック溝部３１，３２は、前述したクリック溝部５と同様に形成することができる。また、モード切換リング７の前面７ｆが対面する固定筒部２ｃの段差面２ｃｒには、弾性変位部を有するクリック係合部３４を設ける。このクリック係合部３４は、段差面２ｃｒに形成した断面円形の収容穴部３５に、コイルスプリング３６を収容した後、クリックボール３３を収容して構成する。これにより、クリックボール３３は、圧縮したコイルスプリング３６により弾性変位可能に支持され、後方へ付勢されることにより、モード切換リング７の前面７ｆに圧接するモード切換機構部８が構成される。
【００４１】
この場合、クリック係合部３４の弾発力は、クリック係合部６及び副クリック係合部６ｓの弾発力よりも大きく設定する。即ち、コイルスプリング３６の弾発力を、コイルスプリング１１，１１ｓの弾発力に対してより強く設定する。このように設定すれば、クリック機構部Ｍｍ，Ｍｓの操作時、即ち、クリック係合部６及び副クリック係合部６ｓの移動時であっても、クリック係合部３４を有するモード切換機構部８への影響を阻止できるため、誤ってクリック機構部Ｍｍ，Ｍｓの位置がズレてしまうなどの弊害を確実に回避することができる。
【００４２】
したがって、変更実施形態に係るクリック装置１は、モード切換リング７における切換クリック溝部３１（第一位置Ｘ１）を、図６及び図８（ａ）に示すクリック係合部３４に位置させれば、クリック機構部Ｍｍ及びＭｓを有効にしてクリックモード範囲Ｚｍｃを使用可能なクリックモードに切換えることができるとともに、モード切換リング７を、図６中、反時計方向（矢印Ｆｆｎ方向）へ回動操作し、切換クリック溝部３２（第二位置Ｘ２）を、クリック係合部３４に位置させれば、クリック機構部Ｍｍ及びＭｓを無効にして非クリックモード範囲Ｚｍｎを使用可能な非クリックモードに切換えることができる。図８はクリック装置１の展開図を示し、図８（ａ）はクリックモード、図８（ｂ）は非クリックモードの各状態を示す。
【００４３】
この際、各クリック機構部Ｍｍ，Ｍｓの調整範囲の長さ（角度）は、クリック係合の回数を同一に設定する場合、主クリック機構部Ｍｍのみのときの所定範囲Ｚｍに比べて１／２に設定可能になるため、所定範囲Ｚｍ以外の範囲Ｚｅを相対的に広くすることが可能となる。したがって、従来の場合、切換操作範囲として、１８０〔゜〕に設定していた場合であっても、本実施形態に係るクリック装置１を採用すれば、例えば、図６及び図８に示すように、約１／２となる９０〔゜〕の切換操作範囲に設定することが可能になる。
【００４４】
このように、レンズ鏡筒２にモード切換リング７を回動可能に設け、このモード切換リング７と調整リング４間に、主クリック機構部Ｍｍ及び副クリック機構部Ｍｓを配設することにより、モード切換リング７を第一位置Ｘ１へ変位させて主クリック機構部Ｍｍ及び副クリック機構部Ｍｓを有効にし、かつモード切換リング７を第二位置Ｘ２へ変位させて主クリック機構部Ｍｍ及び副クリック機構部Ｍｓを無効にするモード切換機構部８を設ければ、モード切換リング７の切換時の操作角度（操作範囲）をより小さくできるため、モード切換操作における操作性及び迅速性をより高めることができる。しかも、調整リング４の調整範囲を狭くできることと併せ、調整操作及び切換操作を含む全体の操作性及び迅速性を高めることが可能になるため、例えば、動きのある被写体に対するシャッタチャンスもより捕らえ易くなるとともに、より良好な撮影を行える利点がある。
【００４５】
なお、このようなモード切換機構部８は、非クリックモードに切換えることにより、例えば、ビデオカメラ機能による撮影時に、クリック時の振動やクリック音をマイクロホンが拾ってしまう不具合を解消できる。この結果、ビデオカメラ機能における撮影品質（集音品質）を高めることができるなど、必要に応じてクリック機構部Ｍｍ，Ｍｓ…の悪影響を排除できる。しかも、クリックモードと非クリックモードを任意に選択できるため、両モードのメリットを使い分けることができ、ユーザの利便性及び快適性を高めることができる。具体的には、クリックモードを選択すれば、絞り値の目安にできるため、マニュアル操作時に所望の絞り値を速やかに設定できるとともに、非クリックモードを選択すれば、絞りを連続して可変する場合或いは絞り調整リング４ｃをマニアックに操作するなど絞り値に捕らわれない撮影を行う場合等にスムースな操作を確保できる。加えて、クリック操作感のみを解消し、いずれのモードにおいても操作性（操作フィーリング）を変えないため、操作力が異なることによる操作ミス等の不具合を回避することができる。
【００４６】
以上、好適実施形態及び変更実施形態について詳細に説明したが、本発明は、このような実施形態に限定されるものではなく、細部の構成，形状，素材，数量等において、本発明の要旨を逸脱しない範囲で、任意に変更，追加，削除することができる。
【００４７】
例えば、実施形態では、主クリック機構部Ｍｍに対して、一つの副クリック機構部Ｍｓを設けた場合について説明したが、副クリック機構部Ｍｓは、二以上設けることができる。即ち、一例として、二つの副クリック機構部Ｍｓ，Ｍｓを設ければ、クリック係合の間隔を１／３に、或いはクリック係合の数を３倍にできるとともに、三つの副クリック機構部Ｍｓ，Ｍｓ，Ｍｓを設ければ、クリック係合の間隔を１／４に、或いはクリック係合の数を４倍にできる。これらの場合、主クリック機構部Ｍｍ及び各副クリック機構部Ｍｓ…は、回動方向Ｆｆへ回動操作する際に、異なる各クリック機構部Ｍｍ，Ｍｓ…が順番にクリック係合するように考慮することが望ましい。また、本実施形態では、主クリック機構部Ｍｍのクリック係合部６を、スプリング１１により弾性変位可能に支持されたクリックボール１２を備えて構成するとともに、副クリック係合部６ｓ…を、スプリング１１ｓにより弾性変位可能に支持されたクリックボール１２ｓを備えて構成するため、円滑なクリック操作感を得ることができ、異なる主クリック機構部Ｍｍと副クリック機構部Ｍｓ…が組合わされた場合であっても、一体性及び連続性を確保できるとともに、違和感の無い良質なクリック装置１を得ることができる。さらに、実施形態では、レンズ鏡筒２の固定部３にクリック溝部５…（副クリック溝部５ｓ…）を形成し、調整リング４にクリック係合部６（副クリック係合部６ｓ…）を設けた場合を示したが、レンズ鏡筒２の固定部３にクリック係合部６（副クリック係合部６ｓ…）を設け、調整リング４にクリック溝部５…（副クリック溝部５ｓ…）を形成してもよい。なお、調整リング４には、絞り調整リング４ｃを適用することが望ましいが、レンズＬに備える他の各種調整リングにも同様に適用することが可能である。
【産業上の利用可能性】
【００４８】
本発明に係るクリック装置１は、デジタルカメラやビデオカメラ等の各種光学機器のレンズ、特に、レンズに備える調整リングに利用することができる。この際、レンズは交換レンズ等の単品であってもよいし、非交換式のレンズとして光学機器に一体化されたレンズであってもよい。
【符号の説明】
【００４９】
１：クリック装置，２：レンズ鏡筒，３：固定部，４：調整リング，４ｃ：絞り調整リング，５…：クリック溝部，５ｓ…：副クリック溝部，６：クリック係合部，６ｓ…：副クリック係合部，７：モード切換リング，８：モード切換機構部，１１：スプリング，１１ｓ：スプリング，１２：クリックボール，１２ｓ：クリックボール，Ｌ：レンズ，Ｆｆ：回動方向，Ｚｍ：所定範囲，Ｚｅ：所定範囲以外の範囲，Ｋｉ…：所定間隔，Ｍｍ：クリック機構部（主クリック機構部），Ｍｓ…：副クリック機構部，Ｘ１：第一位置，Ｘ２：第二位置
【図１】
2020181021.tif 000003
【図２】
2020181021.tif 000004
【図３】
2020181021.tif 000005
【図４】
2020181021.tif 000006
【図５】
2020181021.tif 000007
【図６】
2020181021.tif 000008
【図７】
2020181021.tif 000009
【図８】
2020181021.tif 000010